(57)【要約】  【課題】  印刷配線基板の仕様を容易に目視できるようにする。  【解決手段】  印刷配線基板２０の端部に、仕向け地表記列と部品取り付けランド列のマトリックスで構成される仕向け地表示領域２２を設け、仕向け地表記に対応したランドに部品２３を実装することで仕向け地を目視により確認できるようにした。  また、印刷配線基板３０の端部に、部品取り付けランドと、仕向け地の色による凡例表示部を設け、部品取り付けランドに実装された部品に着色された色によって仕向け地を確認できるように構成した。  【選択図】 図２
2005079137.tif 000002
【特許請求の範囲】
【請求項１】
異なる複数の仕様のいずれかを有するように設定することが可能な印刷配線基板において、
前記複数の仕様をそれぞれ目視により特定することが可能な複数の表記と、当該複数の表記のうちの前記設定された仕様を特定する表記に対応して実装された部品と、
を具備したことを特徴とする印刷配線基板。
【請求項２】
前記部品が、前記複数の仕様を特定する複数の表記に対してそれぞれ設けられた部品取り付けランドのうちの前記設定された仕様を特定する部品取り付けランドに取り付けられていることを特徴とする請求項１に記載の印刷配線基板。
【請求項３】
前記仕様を特定する表記が前記仕様のそれぞれを異なる色で区別する凡例として記され、前記部品が前記設定された仕様に対応する色に着色されていることを特徴とする請求項１に記載の印刷配線基板。
【請求項４】
前記仕様が、複数の仕向け地に対応するものであることを特徴とする請求項１乃至３のいずれかに記載の印刷配線基板。
【請求項５】
前記仕様が、当該印刷配線基板の複数のバージョンに対応するものであることを特徴とする請求項１乃至３のいずれかに記載の印刷配線基板。
【請求項６】
前記仕様が、設計変更による複数の構成に対応するものであることを特徴とする請求項１乃至３のいずれかに記載の印刷配線基板。
【請求項７】
前記部品が、当該印刷配線基板によって構築される回路に組み込まれる電気部品であることを特徴とする請求項１乃至６のいずれかに記載の印刷配線基板。
【発明の詳細な説明】
【技術分野】
【０００１】
この発明は、搭載する部品の種類、あるいは組み込むソフトウェアプログラムの種類等に応じて、複数の仕様のひとつに対応するように構成することが可能な印刷配線基板に関し、特に印刷配線基板の仕様を目視によって簡単に認識できるようにした印刷配線基板に関する。
【背景技術】
【０００２】
例えば、テレビジョン受信機等、世界各国で使用される電子機器においては、複数のテレビジョン方式に対応可能な回路構成を適用する等、回路の共通化が進められており、印刷配線基板もそれに対応して、共通化が推進されている。
【０００３】
しかしながら、回路構成の全てを同じにすることは、テレビジョン方式が異なることもあって、現在のところ実際問題として不可能であり、印刷配線基板に構築する際には、例えば国（仕向け地）毎の仕様に対応するように構成された集積回路素子（ＩＣ）を用いたり、回路部品の定数を仕向け地に対応したものにする等の処置が必要がある。
【０００４】
すなわち、共通化された印刷配線基板は、各国に全く同じ回路構成部分と、各国に特有な回路構成部分とでなり、各国に特有な回路構成部分を変えることによって、その国に対応した印刷配線基板として構築するようにしている。
【０００５】
テレビジョン受像機の製造過程で、複数の仕向け地用の受像機の組立てを行なう場合、印刷配線基板を仕向け地毎に区別して、他の仕向け地用の基板が間違って装着されることのないようにする必要があるため、例えば、基板にシルク印刷等で基板の番号等を表記して、それを作業者が目視で確認するようにしている。しかしながら、基板に搭載される部品のレイアウトが同一である場合には、基板の番号として同じものを使うこともあり、ＩＣ等の部品の型名、あるいは部品の定数等を識別してどの仕向け地用の基板であるか確認する必要がある。
【０００６】
さらにまた、回路構成が同じで部品の配置も全く同じ印刷配線基板であっても、例えば実装された不揮発性メモリに書き込まれたソフトウェアのバージョンを変更して、搭載されるテレビジョン受像機の機能を制限したり、特殊な機能を持たせることが行なわれることもあり、そのような場合にも印刷配線基板を簡単に確認できるようにする必要がある。
【０００７】
従来、例えば特許文献１に示されているように、７セグメント構成のジャンパー線によって、印刷配線基板の種類を目視で確認できるようにした提案がなされているが、特殊な構成のジャンパー線を設ける必要があり、また７セグメントで数字を表現して基板の種類を表現するものであるため、これを、複数の仕向け地の区別に用いる場合には、数字の意味を認識する必要があり、取り扱いが複雑にならざるを得ないという問題がある。
【特許文献１】特開平９−２３７９４５号公報（５頁、図２）
【発明の開示】
【発明が解決しようとする課題】
【０００８】
以上のように、従来、複数の仕様のいずれかに設定することができる印刷配線基板の、仕様を容易に確認できるようにした提案がなされていなかった。
【０００９】
本発明は、以上の点に考慮してなされたものであり、部品交換等によって複数の仕様のうちのいずれかの仕様に設定することができる印刷配線基板の、その設定された仕様を容易に確認できるようにした印刷配線基板を提供することを目的とする。
【課題を解決するための手段】
【００１０】
本発明の印刷配線基板は。異なる複数の仕様のいずれかを有するように設定することが可能な印刷配線基板において、前記複数の仕様をそれぞれ目視により特定することが可能な複数の表記と、当該複数の表記のうちの前記設定された仕様を特定する表記に対応して実装された部品と、を具備したことを特徴とする。
【発明の効果】
【００１１】
本発明によれば、実装された部品の位置あるいは色によって、印刷配線基板が複数の仕様のうちのいずれの仕様に設定されたものであるかを一目瞭然に認識することができるようになるものである。
【発明を実施するための最良の形態】
【００１２】
以下、この発明の実施の形態を図面を参照しながら説明する。図１は、本発明の印刷配線基板に搭載される回路部品を仕向け地毎に一覧で示す表である。図１において、行の見出しとして、「Japan」、「U.S.A.」、「Korea」、「Germany」、「U.K.」、「China」、「France」と示され、列の見出しとして「ブロックＡ」、「ブロックＢ」、「ブロックＣ」が示されている。
【００１３】
「ブロックＡ」は、「Ａ００１」〜「Ａ００５」までの５種類が存在し、「ブロックＢ」は、「Ｂ００１」〜「Ｂ００３」までの３種類が存在し、「ブロックＣ」は、「Ｃ００１」〜「Ｃ００５」の５種類が存在するものとして示されている。
【００１４】
すなわち、この実施の形態においては、印刷配線基板は、回路部品ユニットとして、「ブロックＡ」、「ブロックＢ」、「ブロックＣ」の３種類のユニットで構成され、それぞれが仕向け地に応じて選択的に使用されることを示している。
【００１５】
例えば、仕向け地が「Japan」である場合、「ブロックＡ」では「Ａ００１」が選択され、「ブロックＢ」では「Ｂ００１」が選択され、「ブロックＣ」では「Ｃ００３」が選択されて、全体で「Japan」向けの仕様を有する印刷配線基板として構築されている。
【００１６】
図２は、図１に示す仕向け地表に基づき、「Japan」仕様として構成された本発明の印刷配線基板を示す図面である。
【００１７】
図２において、印刷配線基板２０は、ブロックＡとして構成される「Ａ００１」と、ブロックＢとして構成される「Ｂ００１」と、ブロックＣとして構成される「Ｃ００３」が実装され、それらがシールドケース２１で覆われている。
【００１８】
また、印刷配線基板２０の、シールドケース２１で覆われていない端部の表面に、仕向け地を確認することが可能な仕向け地表記領域２２が設けられている。仕向け地表記領域２２は、仕向け地名が例えばシルク印刷等で印刷された仕向け地名表記領域２２ａと、各仕向け地名にそれぞれ対応して、部品が実装されるランド２２ｂが設けられた部品実装領域２２ｃがマトリックス状に形成されている。したがって、仕向け地名の表記に対応させて、ランド２２ｂに部品２３を実装することにより、いかなる仕向け地向けの仕様を備えた基板２０であるかを明確に表現することができるものである。
【００１９】
図２に示す印刷配線基板２０では、「Japan」の表記に対応して部品２３が実装されており、この印刷配線基板２０が「Japan」向けの仕様を有した基板２０であることを一目瞭然に確認することができる。
【００２０】
なお、ランド２２ｂに搭載される部品２３としては、その仕向け地専用の回路部品として、回路に組み込まれる部品であってもよく、あるいは、回路とは全く無関係に、もっぱら仕向け地を表現するためにのみ、実装されるものであってもよい。
【００２１】
前者の場合は、回路に組み込まれる部品としての機能と、仕向け地を表現するための機能の両方を備えることになり、後者に比べて有効活用ができるものである。
【００２２】
仕向け地の表現方法としては、図２に示すマトリックス方式に限らず、例えば色で表現することも可能である。図３は、色によって仕向け地を表現するようにした本発明の印刷配線基板を示す図である。
【００２３】
図３において、印刷配線基板３０は、図２の実施例と同様に、「ブロックＡ」として「Ａ００１」が選択され、「ブロックＢ」として「Ｂ００１」が選択され、「ブロックＣ」として「Ｃ００３」が選択されて実装されており、基板３０には、さらにそれらを覆うようにシールドケース３１が設けられている。
【００２４】
仕向け地を表現するための領域３２は、部品を実装するためのランド３２ａと、色と仕向け地名を対応付ける凡例表示領域３２ｂを有する。ランド３２ａは、唯一設けられており、凡例表示領域３２ｂは、赤が「Japan」を表し、青が「U.S.A.」を表し、黄が「Korea」を表し、緑が「U.K.」を表し、白が「France」を表し、黒が「Germany」を表し、橙が「China」を表す。
【００２５】
図３に示す例では、ランド３２ａに、表面が赤に着色された部品３３が実装されており、これによって印刷配線基板３０が「Japan」向けの仕様を持ったものであることが、目視で一目瞭然に確認することができるものである。
【００２６】
以上説明した、本発明の印刷配線基板２０，３０によれば、部品の実装位置、部品の着色された色に基づいて、仕向け地を極めて容易に認識することができるものである。
【００２７】
ところで、テレビジョン受像機等の電子機器においては、以上説明した仕向け地毎に仕様が異なる場合の他、同じ仕向け地の製品であっても、例えば、搭載された陰極線管のサイズ、アスペクト比、ＢＳ（Broadcasting Satellite）チューナが搭載されているか否か等、細部で仕様が異なってくるものであり、印刷配線基板も、例えば、一部の部品の交換、削除、追加、あるいは、部品そのものは全く変更せず、不揮発性メモリに書き込まれているコンピュータソフトウエアの書き換えによって、各仕様に対応したものにするように構成されている。
【００２８】
そのように、一部の修正によって各仕様に対応させるように構成された印刷配線基板においても、部品のレイアウト等からは、どの製品に対応した仕様を有する印刷配線基板であるか認識することが困難であり、何らかの手段で印刷配線基板の仕様を特定できるようにする必要がある。そのような各仕様を印刷配線基板のバージョンとして捕らえ、その数値によって仕様を区別することは可能である。
【００２９】
あるいはまた、テレビジョン受像機のような電子機器においては、製品出荷後に、細かな不具合を解消するために、一部の部品の交換、削除、追加、あるいは、不揮発性メモリに書き込まれているコンピュータソフトウエアの書き換えを行なう、いわゆる設計変更と呼ばれる対策を１回あるいは数回行なうことがある。
【００３０】
その場合にも、印刷配線基板がどのような設計段階にあるのかを、容易に目視できるようにすることは重要である。この設計変更の状況、すなわち、印刷配線基板が現在どのような設計段階にあるのかを、バージョンの数値で表現することは可能である。
【００３１】
図４は、印刷配線基板の仕様に対応したバージョンを明示するようにした本発明の他の実施の形態を示す図である。図４の実施の形態は、図２に示す実施の形態に対応するものである。
【００３２】
図４において、印刷配線基板４０のシールドケース４１で覆われていない端部の表面に、バージョンを確認することが可能なバージョン表記領域４２が設けられている。バージョン表記領域４２は、バージョンを示す数値が例えばシルク印刷等で印刷されたバージョン表記領域４２ａと、各バージョンにそれぞれ対応して、部品が実装されるランド４２ｂが設けられた部品実装領域４２ｃがマトリックス状に形成されている。
【００３３】
したがって、バージョン数値の表記に対応させて、ランド４２ｂに部品を実装することにより、いかなるバージョンの基板４０であるかを明確に表現することができるものである。
【００３４】
図４に示す印刷配線基板４０では、「Ｖｒ．１．５０」の表記に対応して部品４３が実装されており、この基板のバージョンが１．５０であることが理解できる。例えば、バージョン１．５０は、サイズが１８〜２１インチでアスペクト比が４：３の陰極線管を搭載し、ＢＳチューナを備えていないテレビジョン受像機に適用される印刷配線基板であることを示している。
【００３５】
図５は、印刷配線基板の仕様に対応したバージョンを部品の色で表現するものであり、図３に示す印刷配線基板３０に対応するものである。すなわち、図５において、印刷配線基板５０は、シールドケース５１で覆われていない端部にバージョンを表現するための領域５２が設けられており、この領域５２には、部品を実装するためのランド５２ａと、色とバージョン数を対応付ける凡例表示領域５２ｂを有する。ランド５２ａは、唯一設けられており、凡例表示領域５２ｂは、赤が「Ver. 1.50」を表し、青が「Ver. 1.70」を表し、黄が「Ver. 1.90」を表し、緑が「Ver. 2.01」を表している。
【００３６】
図５に示す例では、ランド５２ａに、表面が赤に着色された部品５３が実装されており、これによって印刷配線基板５０のバージョンが１．５０であることを、作業者が容易に確認することができるものである。
【００３７】
バージョン１．５０の意味合いは、例えば図４の印刷配線基板４０と同様である。
【００３８】
以上のように、図４，５に示した実施の形態によれば、実装された部品の位置、あるいは、部品に着色された色によって印刷配線基板のバージョンを容易に確認することができるようになるものである。
【００３９】
設計変更のバージョンを表示するように構成した印刷配線基板では、例えば、図６に示すように、印刷配線基板６０のシールド６１で覆われない端部にバージョン表示領域６２を設け、バージョン数値を表示する列６２ａと、部品を実装するランド６２ｂが設けられたランド列６２ｃをマトリクス状に設け、設計変更の度に、バージョン数値を追記すると共に、それに対応してランド列６２ｃのランド６２ｂに部品６３を実装するように構成することができるものである。
【００４０】
以上説明したように、本発明の印刷配線基板は、印刷配線基板の仕向け地、あるいはバージョンを、レイアウト表示、あるいは色による凡例表示で容易に目視できるようにしたので、テレビジョン受像機等の製造工程、あるいはサービス技術者による修理等において、作業効率を著しく向上させることができるものである。
【００４１】
なお、この発明の印刷配線基板は、以上説明した形態に限定されるものではなく、その趣旨を変更しない範囲で種々実施可能である。例えば、印刷配線基板に実装される部品は、図２の実施の形態で説明したように、印刷配線基板として構築される回路に組み込まれる部品であってもよく、あるいは回路とは全く関係のない部品であってもよい。
【００４２】
回路とは関係のない部品である場合、電気部品である必要はなく、機構部品を適用することもできる。その場合、印刷配線基板には、ランドではなく、取付け用の穴等が形成されることになる。色によって仕様を区別する場合には、着色が容易な機構部品の方が好都合であるといえる。
【図面の簡単な説明】
【００４３】
【図１】本発明に係る印刷配線基板の構成を説明するための図。
【図２】本発明の印刷配線基板の一実施の形態を示す構成図。
【図３】本発明の印刷配線基板の他の実施の形態を示す構成図。
【図４】本発明の印刷配線基板のさらに他の実施の形態を示す構成図。
【図５】本発明の印刷配線基板のさらに他の実施の形態を示す構成図。
【図６】本発明の印刷配線基板の一実施の形態を示す構成図。
【符号の説明】
【００４４】
２０，３０，４０，５０，６０…印刷配線基板
２１，３１，４１，５１，６１…シールドケース
２２，３２…仕向け地表示領域
４２，５２、６２…バージョン表示領域
【図１】
2005079137.tif 000003
【図２】
2005079137.tif 000004
【図３】
2005079137.tif 000005
【図４】
2005079137.tif 000006
【図５】
2005079137.tif 000007
【図６】
2005079137.tif 000008